(57)【特許請求の範囲】
【請求項１】
天井内に埋設される本体の下端に、吹出口を有する化粧パネルを設け、この化粧パネルの中央開口の奥部には吸込空気を清浄化するためのフィルタを設け、前記中央開口を両側に吸込口空間を残して塞ぐセンターパネルを設けた天井埋込型空気調和装置において、
前記センターパネルには所定高さの脚部を介して前記フィルタを支持し、当該センターパネルの四ヶ所を吊りひもで吊持し、この吊りひもを繰り出し／巻き取りするための昇降機構を、前記化粧パネルの中央開口の略中央に配置したことを特徴とする天井埋込型空気調和装置。
【請求項２】
前記昇降機構は、各吊りひもが巻回される四個のプーリと、両端部に前記プーリが二個ずつ分けて連結されるシャフトと、このシャフトを回転駆動するモータとを備え、
前記四個のプーリはばねのばね力で発生する摩擦力によりシャフトに連結自在であり、過負荷時には前記摩擦力に抗してプーリが空回りし、当該摩擦力を発生させる部位には皮材を介装したことを特徴とする請求項１に記載の天井埋込型空気調和装置。
【請求項３】
天井内に埋設される本体の下端に、吹出口を有する化粧パネルを設け、この化粧パネルの中央開口の奥部には吸込空気を清浄化するためのフィルタを設け、前記中央開口を両側に吸込口空間を残して塞ぐセンターパネルを設けた天井埋込型空気調和装置において、
前記センターパネルには所定高さの脚部を介して前記フィルタを支持し、当該センターパネルの四ヶ所を吊りひもで吊持し、この吊りひもを繰り出し／巻き取りするための昇降機構を、前記化粧パネルの中央開口に配置し、
この昇降機構を覆うカバーを設け、このカバーの上部には電装箱を着脱自在に設けたことを特徴とする天井埋込型空気調和装置。
【発明の詳細な説明】
【０００１】
【発明の属する技術分野】
本発明は、二方向カセット型の天井埋込型空気調和装置の改良に関する。
【０００２】
【従来の技術】
一般に、天井内に埋設される本体の下端に、吹出口を有する化粧パネルを設け、この化粧パネルの中央開口の奥部にはフィルタを設け、前記開口の前部には両側に吸込口を残すように板金製のセンターパネルを設けた天井埋込型空気調和装置は知られている。この種のものでは、例えばフィルタを交換、清掃等する場合、センターパネルを外して、フィルタを取り外し、このフィルタを清掃してから再び、清掃済みのフィルタを取り付け、その後にセンターパネルを取り付けるようにしている。しかしながら、従来の構成では、フィルタを取り外す時に、ごみが落下するので、衛生上好ましくないし、またフィルタの取り外しは高所での作業となるので、安全上好ましくないという問題がある。
【０００３】
一方、従来では、化粧パネルの開口にフィルタを支持する吸込グリルを設け、この吸込グリルをフィルタごと昇降自在に形成し、フィルタを交換する時には吸込グリルをフィルタごと降下させて、このフィルタを低所で交換できるようにしたものが提案されている。この吸込グリルの昇降機構は、吸込グリルに一端を止着した吊りひもの他端をプーリに巻回し、このプーリをシャフトに連結し、このシャフトにはモータを連結し、このモータの駆動によって、吊りひもを繰り出し／巻き取りして前記吸込グリルを昇降させるものである。
【０００４】
【発明が解決しようとする課題】
しかしながら、従来の構成では、プーリ、シャフト、駆動モータ等を含む昇降機構が、化粧パネルの開口の片隅に配置されるので、そこから繰り出される吊りひもの長さが左右で異なるという問題がある。吊りひもの長さが異なると、力のバランスが崩れるので、従来のように軽量な吸込グリルを昇降させる場合には問題はないとしても、特にセンターパネルのように重量の重いものを吊り上げる場合には、モータ等を含む昇降機構に過度な力がかかり、センターパネルの昇降動作がスムーズに行われなくなるという問題がある。
【０００５】
そこで、本発明の目的は、センターパネルのように重量の重いものを吊り上げる場合であっても、このセンターパネルをスムーズに昇降させることのできる天井埋込型空気調和装置を提供することにある。
【０００６】
【課題を解決するための手段】
請求項１に記載の発明は、天井内に埋設される本体の下端に、吹出口を有する化粧パネルを設け、この化粧パネルの中央開口の奥部には吸込空気を清浄化するためのフィルタを設け、前記中央開口を両側に吸込口空間を残して塞ぐセンターパネルを設けた天井埋込型空気調和装置において、前記センターパネルには所定高さの脚部を介して前記フィルタを支持し、当該センターパネルの四ヶ所を吊りひもで吊持し、この吊りひもを繰り出し／巻き取りするための昇降機構を、前記化粧パネルの中央開口の略中央に配置したことを特徴とするものである。
【０００７】
請求項２に記載の発明は、請求項１に記載のものにおいて、昇降機構は、各吊りひもが巻回される四個のプーリと、両端部に前記プーリが二個ずつ分けて連結されるシャフトと、このシャフトを回転駆動するモータとを備え、四個のプーリはばねのばね力で発生する摩擦力によりシャフトに連結自在であり、過負荷時には前記摩擦力に抗してプーリが空回りし、当該摩擦力を発生させる部位には皮材を介装したことを特徴とするものである。
【０００８】
請求項３に記載の発明は、天井内に埋設される本体の下端に、吹出口を有する化粧パネルを設け、この化粧パネルの中央開口の奥部には吸込空気を清浄化するためのフィルタを設け、前記中央開口を両側に吸込口空間を残して塞ぐセンターパネルを設けた天井埋込型空気調和装置において、前記センターパネルには所定高さの脚部を介して前記フィルタを支持し、当該センターパネルの四ヶ所を吊りひもで吊持し、この吊りひもを繰り出し／巻き取りするための昇降機構を、前記化粧パネルの中央開口に配置し、この昇降機構を覆うカバーを設け、このカバーは前記化粧パネルの中央開口の奥部より上方に延出し、このカバーの上部には電装箱を着脱自在に設けたことを特徴とするものである。
【０００９】
【発明の実施の形態】
以下、本発明の一実施の形態を図面を参照して説明する。
【００１０】
図１において、符号１は天井内に埋設される箱形の本体を示している。この本体１の内部には、図２に示すように、熱交換器３、送風機５等が収納されている。本体１の下端には、両端に吹出口７を有する化粧パネル９が固定され、この化粧パネル９の中央開口の奥部には、板金製のフィルタ受け部材１１が嵌合されている。このフィルタ受け部材１１の受け部１１ａには吸込空気を浄化するフィルタ１３が当接している。また化粧パネル９の中央開口の前部には、両側に吸込口１５としての空間を残すように板金製のセンターパネル１７が設けられる。
【００１１】
この板金製のセンターパネル１７には、図１に示すように、脚部１００，１００を介して、前述のフィルタ１３が支持されており、これらは四本の吊りひも１９を介して、化粧パネル９に昇降自在に吊持されている。
【００１２】
図３に示すように、センターパネル１７の四ヶ所には四本の吊りひも１９の一端１９ａがそれぞれ止着され、各吊りひも１９の他端１９ｂは上方へ延出して、それぞれローラ２１に巻かれた後に、ほぼ水平に延出し、図４に示すように、昇降機構２３につながれている。この昇降機構２３は、板金製のプレート２４上に固定され、この板金製のプレート２４は、図１に示すように、化粧パネル９の中央の開口のほぼ中央位置に掛け渡されている。
【００１３】
この昇降機構２３は、図４に示すように、四個のプーリ２５を有し、各プーリ２５には、前述した各吊りひも１９の他端１９ｂが止着されている。四個のプーリ２５は、一本のシャフト２７の両端部に二個ずつ分けて連結され、この一本のシャフト２７は、ギヤ２９，３１を介してモータ３３の出力軸に連結されている。３５，３７は軸受けである。
【００１４】
各プーリ２５には、図５に示すように、クラッチを含む動力伝達機構が付設される。図５は、シャフト２７の一端のみを図示し、このシャフト２７の端部にはストッパ３９、ゴム材４１、スペーサ４３、ばね４５、ゴム材４６、ばね座４７、皮材４９、二個のプーリ２５，２５、皮材５１、ばね座５３、ゴム材５４、ばね５５、スペーサ５７、ゴム材５８、及びストッパ５９の順に嵌め込まれ、両側に位置するストッパ３９，５９が、図６に示すように、所定の間隔をあけてシャフト２７にねじ６２で止着されると、動力伝達機構が構成される。
【００１５】
これによると、シャフト２７が回転する時、通常であれば、ばね４５，５５のばね力で発生する摩擦力により、シャフト２７にプーリ２５，２５が連結されるので、プーリ２５に動力が伝達され、プーリ２５はこのシャフト２７と一体に回転して、それぞれの吊りひも１９は繰り出し／巻き取りされる。
【００１６】
なお、各吊りひも１９は、各プーリ２５，２５に対して同一方向に巻回されるが、図６に示すように、一方の吊りひも１９はプーリ２５の上縁から引き出され、他方の吊りひも１９はプーリ２５の下縁から引き出されることにより、同時に繰り出し／巻き取りが行われる。
【００１７】
ところが、プーリ２５，２５がそれぞれの吊りひも１９を所定時間の間完全に巻き取ったとしても、各吊りひも１９の長さのばらつきに起因して、前述したセンターパネル１７が化粧パネル９の所定の位置に格納されずに、斜めになったりする場合がある。一般には、このような場合を想定して、プーリ２５，２５が吊りひも１９を所定時間の間完全に巻き取って、センターパネル１７がほぼ上昇しきったであろうと推定されても、更に所定時間、例えば、４〜５秒の間シャフト２７を回転させて、プーリ２５，２５によって吊りひも１９を巻き取る動作が行われる。この場合には、早く巻き取られたプーリ２５は、前述のクラッチが動作して、空回りする。即ち、吊りひも１９を完全に巻き取っているプーリ２５は最早巻き取るものがないのであるから、その位置において、各ばね４５，５５のばね力により発生する摩擦力に抗して空回りする。
【００１８】
この実施の形態によれば、センターパネル１７は板金製であり、重量が重くて昇降させる場合にはかなりのトルクを必要とする。シャフト２７を回転させて、プーリ２５を回転させる場合、前述のようにトルクの伝達はばね４５，５５が司る。このトルクの伝達を確実なものにするために、ストッパ３９とスペーサ４３との間にゴム材４１が介装され、スペーサ４３とばね座４７との間にゴム材４６が介装され、ばね座４７とプーリ２５との間に皮材４９が介装される。また、プーリ２５とばね座５３との間に皮材５１が介装され、ばね座５３とスペーサ５７との間にゴム材５４が介装され、更にスペーサ５７とストッパ５９との間にゴム材５８が介装される。
【００１９】
長期間に亘る実証試験の結果では、プーリ２５に摺接する側にスリップ止めとしての皮材４９，５１を介装し、そうでない側にゴム材４１，４６，５４，５９を介装することにより、最も良好にトルク伝達できることが判明している。
【００２０】
この実施の形態によれば、昇降機構２３は、化粧パネル９の開口の中央に配置されるので、四本の吊りひも１９の長さを等しくすることができ、繰り出し／巻き取り時には、同じ力で懸吊するので、力のバランスをとることができる。従って、特にセンターパネル１７のように重量の重いものを吊り上げる場合にも、モータ３３等を含む昇降機構２３に過度な力がかかることはなく、センターパネル１７をスムーズに昇降させることができる。
【００２１】
つぎに、別の実施の形態について説明する。
【００２２】
この昇降機構２３は、前述したように、板金製のプレート２４（図４）上に固定され、この板金製のプレート２４は、図１に示すように、化粧パネル９の中央の開口のほぼ中央位置に掛け渡されている。
【００２３】
この昇降機構２３は、図７に示すように、カバー７１で覆われ、このカバー７１は化粧パネル９の中央開口の奥部より上方に延出し、このカバー７１の上部には、更に上方に延出して本体１内に延在する電装箱７３が設けられる。カバー７１で覆われるモータ３３、或いはトランス７５（図４）等と電装箱７３内のコントロール基板等とはケーブル（図示せず）によってつながれる。
【００２４】
この空気調和装置を組み立てる時には、この電装箱７３は、本体１内において送風機５等の邪魔にならない位置に収容される。
【００２５】
しかしながら、工場出荷時には、本体１と化粧パネル９とは別々に梱包されて出荷されるので、カバー７１の上部に電装箱７３が固定されていると、この電装箱７３は化粧パネル９の上面よりも上方に突出するので、この電装箱７３ごと化粧パネル９を梱包するのが困難になる。
【００２６】
そこで、この実施の形態によれば、化粧パネル９の梱包時には、図８に示すように、電装箱７３を側方に移動できるように、この電装箱７３はカバー７１にビス等を用いて着脱自在に連結されている。
【００２７】
これによれば、化粧パネル９の梱包時には、電装箱７３を側方に移動してから梱包すればよいので、梱包材料は電装箱７３の部分を出っ張らせる必要はなく、単純な矩形状のものを使用でき、梱包費を低減できる。
【００２８】
以上、一実施の形態に基づいて本発明を説明したが、本発明は、これに限定されるものでないことは明らかである。
【００２９】
例えば、二方向カセット型の空気調和装置について説明したが、四方向カセット型のものにも適用は可能であり、またセンターパネルに限定されず、格子孔を有する吸込グリルの昇降装置にも適用は可能である。
【００３０】
【発明の効果】
請求項１〜２に記載の発明によれば、昇降機構は、化粧パネルの開口の中央に配置されるので、四本の吊りひもの長さを等しくすることができ、繰り出し／巻き取り時には、同じ力で懸吊するので、力のバランスをとることができる。従って、特にセンターパネルのように重量の重いものを吊り上げる場合にも、モータ等を含む昇降機構に過度な力がかかることはなく、センターパネルをスムーズに昇降させることができる。
【００３１】
請求項３に記載の発明によれば、化粧パネルの梱包時には、電装箱を側方に移動してから梱包すればよいので、梱包材料には、単純な矩形状のものを使用することができ、梱包費を低減させることができる。
【図面の簡単な説明】
【図１】本発明による天井埋込型空気調和装置の一実施の形態を示す斜視図である。
【図２】同じく断面図である。
【図３】センターパネルを示す斜視図である。
【図４】昇降機構を示す平面図である。
【図５】クラッチ機構を示す斜視図である。
【図６】図５の要部の拡大図である。
【図７】電装箱を取り付けた状態を示す斜視図である。
【図８】電装箱を取り外した状態を示す斜視図である。
【符号の説明】
１  本体
３  熱交換器
５  送風機
７  吹出口
９  化粧パネル
１１  フィルタ受け部材
１３  フィルタ
１５  吸込口
１７  センターパネル
１９  吊りひも
２３  昇降機構
２５  プーリ
３３  モータ
４１，４６，５４，５９  ゴム材
４５，５５  ばね
４９，５１  皮材
１００  脚部
【図１】
0003845680.tif 000002
【図２】
0003845680.tif 000003
【図３】
0003845680.tif 000004
【図４】
0003845680.tif 000005
【図５】
0003845680.tif 000006
【図６】
0003845680.tif 000007
【図７】
0003845680.tif 000008
【図８】
0003845680.tif 000009